(57)【特許請求の範囲】
【請求項１】
引戸障子の戸尻に位置する外召合せ框と、障子全閉時に外召合せ框に対向する内召合せ框と、内召合せ框に対して外召合せ框を障子閉じ側に押し付けるクレセントと、外召合せ框のねじれを防止するねじれ防止具とを備え、外召合せ框は外向き傾斜面を有する煙返しを備え、内召合せ框は内向き傾斜面を有する煙返しを備え、外召合せ框の煙返しと内召合せ框の煙返しは障子全閉時に外向き傾斜面と内向き傾斜面が当接するものであり、ねじれ防止具は、内召合せ框の室外側見付け面に固定してあり、障子全閉時に外召合せ框の室内側面と隙間をあけて対面する室外側面部を有し、引戸障子に負圧が作用したときにねじれ防止具の室外側面部が外召合せ框の室内側面に当接することを特徴とする引戸サッシ。
【請求項２】
ねじれ防止具は、内召合せ框の煙返しの室外側面を受ける煙返し受け部を有することを特徴とする請求項１に記載の引戸サッシ。
【請求項３】
ねじれ防止具の室外側面部は、外障子開き側ほど外召合せ框の室内側面との間の隙間を広げるように傾斜する傾斜面を有することを特徴とする請求項１に記載の引戸サッシ。
【発明の詳細な説明】
【技術分野】
【０００１】
本発明は、障子全閉時にクレセントの操作により内召合せ框に対して外召合せ框を障子閉じ側に押し付ける引戸サッシに関する。
【背景技術】
【０００２】
非特許文献１の１０８頁に記載の「引違い窓」や１８６頁に記載の「外動片引窓」のように、内召合せ框と外召合せ框との煙返しが互いに内向き傾斜面と外向き傾斜面とを当接することや、同３０頁にクレセントで内召合せ框に対して外召合せ框を障子閉じ側に押し付けることが周知である。
特許文献１には、外召合せ框の煙返しに室内外方向に回動自在な揺動片を設け、障子の全閉時に内召合せ框の煙返しが揺動片を室内側に向けて押圧することにより、揺動片に設けた気密材を内召合せ框に当接させることが開示されている。
特許文献２には、外召合せ框の煙返しに、外障子閉じ側が開いた断面略Ｖ字形状を成す補助部材を取付けて、障子の全閉時に、内召合せ框の煙返しを補助部材のＶ字の傾斜面に当接させることが開示されている。
【０００３】
【特許文献１】特開平３−１９９５９２号公報
【特許文献２】特開平７−２１７３２７号公報
【非特許文献１】「三協立山アルミ  ビル用サッシ総合カタログ」第３０頁、第１０８頁、第１８６頁、三協立山アルミ（株）発行、平成１８年６月８日独立行政法人工業所有権情報・研修館受領日
【発明の開示】
【発明が解決しようとする課題】
【０００４】
しかし、非特許文献１の技術では、例えば引戸サッシを高層階に使用して負圧が生じた場合に、外召合せ框にねじれる力が作用して外召合せ框の煙返しが内召合せ框の煙返しから離れてしまい、サッシの水密性や気密性が低下してしまうという問題がある。
特許文献１の従来技術では、障子の開閉操作時に気密材が障子に接触するので抵抗になり、特許文献２の従来技術では、障子を閉じて閉め切るときに内召合せ框の煙返しが補助部材の傾斜面を移動するので補助部材が抵抗になり、障子の閉じ操作を損ねるという問題がある。
更に、特許文献１及び２の開示の構造では、煙返しが傾斜面を互いに当接させるものではないので、非特許文献１に適用することができない。
【０００５】
そこで、本発明は、外障子に負圧が加わって外召合せ框にねじれる力が作用したときに外召合せ框の煙返しが内召合せ框の煙返しから離れるのを防止すると共に、障子閉じ操作を損ねることがない引戸サッシの提供を目的とする。
【課題を解決するための手段】
【０００６】
請求項１に記載の発明は、引戸障子の戸尻に位置する外召合せ框と、障子全閉時に外召合せ框に対向する内召合せ框と、内召合せ框に対して外召合せ框を障子閉じ側に押し付けるクレセントと、外召合せ框のねじれを防止するねじれ防止具とを備え、外召合せ框は外向き傾斜面を有する煙返しを備え、内召合せ框は内向き傾斜面を有する煙返しを備え、外召合せ框の煙返しと内召合せ框の煙返しは障子全閉時に外向き傾斜面と内向き傾斜面が当接するものであり、ねじれ防止具は、内召合せ框の室外側見付け面に固定してあり、障子全閉時に外召合せ框の室内側面と隙間を空けて対面する室外側面部を有し、引戸障子に負圧が作用したときにねじれ防止具の室外側面部が外召合せ框の室内側面に当接することを特徴とする。
【０００７】
請求項２に記載の発明は、請求項１に記載の発明において、ねじれ防止具は、内召合せ框の煙返しの室外側面を受ける煙返し受け部を有することを特徴とする。
【０００８】
請求項３に記載の発明は、請求項１に記載の発明において、ねじれ防止具の室外側面部は、外障子開き側ほど外召合せ框の室内側面との間の隙間を広げるように傾斜する傾斜面を有することを特徴とする。
【発明の効果】
【０００９】
請求項１に記載の発明によれば、請求項１に記載の発明によれば、クレセントの操作により内召合せ框に対して外召合せ框を障子閉じ側に押し付けた状態において、外障子に負圧が作用して外召合せ框がねじれようとすると、ねじれ防止具の室外側面部が外召合せ框の室内側面に当接して外召合せ框のねじれを防止するので、外召合せ框のねじれにより外召合せ框の煙返しが内召合せ框の煙返しから離れるのを防止する。
障子の開閉操作時及びクレセントの操作時には、ねじれ防止具は外召合せ框との間に隙間を空けて位置するので、ねじれ防止具が障子の開閉操作を損ねることがない。
ねじれ防止具は、非特許文献１にあるような傾斜面を互いに当接する煙返しを有する従来技術の内召合せ框に固定するだけなので、従来技術に後付でき且つ構成が簡易である。
【００１０】
請求項２に記載の発明によれば、請求項１に記載の作用効果を奏すると共に、内召合せ框の煙返しの変形を抑制できる。
【００１１】
請求項３に記載の発明によれば、請求項１に記載の作用効果を奏すると共に、外障子を閉じようとしたときに、万が一ねじれ防止具の室外側面部が外召合せ框に接触した場合に、衝撃を緩和すると共に損傷を防止できる。
【発明を実施するための最良の形態】
【００１２】
以下に、添付図面の図１〜図４を参照して本発明の実施の形態を説明する。図１は図４に示す引戸サッシのＡ部をＢ−Ｂ位置で切断した断面図であり、（ａ）はクレセントを操作前の状態であり、（ｂ）はクレセントを操作後の状態を示す図であり、図２はねじれ防止具の作用を説明する図であり図１（ｂ）に示す状態において外障子に負圧が係ったときの断面図であり、図３はねじれ防止具の図であり、（ａ）は側面図であり、（ｂ）は正面図であり、図４は本実施の形態に係る引戸サッシの正面図である。
本実施の形態に係る引戸サッシ１は、図４に示すように引き違いサッシであり、内障子７の内召合せ框９にはクレセント１１が設けてあり、クレセント１１は、障子全閉時に外障子３の戸尻に位置する外召合せ框５（図１参照）と内障子７の戸尻側に位置する内召合せ框９とを互いに障子閉じ側に押し付けるものである。
図１に示すように、外召合せ框５には、室内側に突設する煙返し（以下、「外障子煙返し」という）１３が設けてあり、内召合せ框９には室外側に突設する煙返し（以下、「内障子煙返し」という）１５が設けてある。外障子煙返し１３は、断面略Ｌ字形状を成しており、室内側の端には室外側を向いて傾斜した外向き傾斜面１７が設けてある。
内障子煙返し１５は、外障子煙返し１３と逆向きの断面略Ｌ字形状を成しており、先端に内向き傾斜面１９を有している。内向き傾斜面１９は、室内側を向いて傾斜し且つ外障子煙返し１３の外向き傾斜面１７と略平行な傾斜面であり、外向き傾斜面１７に面接触により当接している。
内召合せ框９の室外側面には、ねじれ防止具２３が固定してある。このねじれ防止具２３は、本実施の形態では、図４に示すように、クレセント１１の上に互いに間隔を空けて２箇所と、クレセント１１の下に１箇所の合計３箇所に設けてある。
ねじれ防止具２３は、外召合せ框５がねじれるのを防止するものであり、固定部２５と、煙返し受け部２７とを有している。固定部２５は室外側から止めるねじ３１で内召合せ框９の室外側面に固定してあり、煙返し受け部２７は、固定部２５から内障子煙返し１５の室外側面１５ａに沿って延出して内障子煙返し１５の室外側面１５ａに対向している。
ねじれ防止具２３の室外側面部３３は、障子全閉時に外召合せ框５の室内側面５ａに隙間Ｍ１を空けて対面している。室外側面部３３は、固定部２５の室外側で外召合せ框５に対面する対面部３３ａは、外召合せ框５の室内側面５ａと略平行な面になっており、対面部３３ａの障子開き側は、傾斜面３３ｂになっている。傾斜面３３ｂは煙返し受け部２７の室外側面であり、外障子開き側ほど外召合せ框５の室内側面５ａとの間の隙間を広げるように傾斜している。
煙返し受け部２７は、室内側面２７ａが、内障子煙返し１５の室外側面１５ａに対面しており、本実施の形態では煙返し受け部２７の室内側面２７ａは、内障子煙返し１５の室外側面１５ａに当接している。
障子の全閉時において、クレセント１１の操作前には、図１（ａ）に示すように、ねじれ防止具２３の室外側面３３において、対面部３３ａは、外召合せ框５の室内側面５ａとの間に隙間Ｍ１を空けており、クレセント１１の操作により外召合せ框５を内召合せ框９に対して障子閉じ側に押し付けたときには、図１（ｂ）に示すように、内障子煙返し１５の内向き傾斜面１９に対して外障子煙返し１５の外向き傾斜面１７が障子閉じ方向に移動することにより、内召合せ框９に対して外召合せ框５が僅かに引寄せられるので、ねじれ防止具２３の対向面３３ａと外召合せ框５の室内側面５ａとの間に隙間は、図１（ａ）に示す隙間Ｍ１よりも小さい隙間Ｍ２となっている。
【００１３】
次に、本実施の形態に係る引戸サッシ１の作用及び効果について説明する。障子を閉じて全閉状態にした状態において、クレセント１１の操作前には、図１（ａ）に示すように、ねじれ防止具２３の室外側面部３３は、外召合せ框５の室内側面５ａとの間に隙間Ｍ１を空けている。従って、障子の開閉操作時には、ねじれ防止具２３は外召合せ框５との間に隙間Ｍ１を空けて位置するので、ねじれ防止具２３が障子の開閉操作を損ねることがない。
この図１（ａ）に示す状態から、クレセント１１の操作により内召合せ框９に対して外召合せ框５を障子閉じ側に押し付けると、図１（ｂ）に示すように、内障子煙返し１５の内向き傾斜面１９に対して外障子煙返し１５の外向き傾斜面１７が障子閉じ側に移動することにより、内召合せ框９に対して外召合せ框５が僅かに引寄せられるが、ねじれ防止具２３の室外側面部３３と外召合せ框５の室内側面５ａとの間には隙間Ｍ２があるので、クレセント１１の操作を損ねることがない。
図１（ｂ）に示すクレセントを操作した後の状態において、外障子３に負圧が加わると、図２に一点鎖線で示すように外召合せ框５がねじれようとして外召合せ框５が歪む。そうすると、図２で抜き出して示すように、ねじれ防止具２３の室外側面部３３が外召合せ框５の室内側面５ａに当接して室外側召合せ框のねじれを防止すると共に外召合せ框５がねじれて外障子煙返し１３が内障子煙返し１５から離れることを防止する。
ねじれ防止具２３は、非特許文献１にあるような傾斜面１７、１９を互いに当接する煙返し１３、１５を有する従来技術の内召合せ框９に固定するだけなので、従来技術に後付でき且つ構成が簡易である。
ねじれ防止具２３の煙返し受け部２７が、内障子煙返し１５の室外側面１５ａを受けているので、外召合せ框５がねじれようとしたときに外障子煙返し１３が内障子煙返し１５を押圧するが、煙返し受け部２７が内障子煙返し１５を室外側から受けて内障子煙返しの変形を抑制することがきる。尚、本実施の形態では、煙返し受け部２７は内障子煙返し１５の室外側面に当接しているので、内障子煙返し１５を室外側から支持して内障子煙返し１５の変形を防止できる。
ねじれ防止具２３の室外側面３３は、障子開き側が外障子開き側ほど外召合せ框５の室内側面５ａとの間の隙間を広げるように傾斜する傾斜面３３ｂになっているので、外障子を閉じようとしたときに、万が一ねじれ防止具２３が外召合せ框５に接触した場合に、衝撃を緩和すると共に損傷を防止できる。
また、本実施の形態では、複数のねじれ防止具２３を内召合せ框９に取付けて、各箇所での外召合せ框５がねじれるのを防止しているので、クレセント１１を複数取付けてねじれるのを防止する場合に比較して安価な引戸サッシを提供できる。
【００１４】
本発明は、上述した実施の形態に限らず、本発明の要旨を逸脱しない範囲で種々変形可能である。
例えば、引戸サッシは引き違いサッシに限らず外障子３が引戸障子であれば、片引戸や引き分け戸であっても良い。
ねじれ防止具２３は、クレセント１１の上方又は下方に、クレセント１１と間隔を空けて１個だけ設けるものであっても良いし、上方及び下方にそれぞれ１個設けるものであっても良く、ねじれ防止具２３の個数や取付け位置は限定されない。更に、クレセント１１を上下に間隔を空けて２つ設け、２つのクレセント１１、１１間にねじれ防止具２３を設けるものであっても良い。
【図面の簡単な説明】
【００１５】
【図１】図４に示す引戸サッシのＡ部をＢ−Ｂ位置で切断した断面図であり、（ａ）は障子全閉状態においてクレセントによる引寄せ操作前の状態であり、（ｂ）は障子全閉状態においてクレセントによる引寄せ操作後の状態を示す図である。
【図２】ねじれ防止具の作用を説明する図であり、図１（ｂ）に示す状態において外障子に負圧が係ったときの断面図である。
【図３】ねじれ防止具の図であり、（ａ）は側面図であり、（ｂ）は正面図である。
【図４】本実施の形態に係る引戸サッシの正面図である。
【符号の説明】
【００１６】
１      引戸サッシ
３      外障子（引戸障子）
５      外召合せ框
９      内召合せ框
１１    クレセント
１３    外障子煙返し（外召合せ框の煙返し）
１５    内障子煙返し（内召合せ框の煙返し）
１７    外向き傾斜面
１９    内向き傾斜面
２３    ねじれ防止具
２７    煙返し受け部
３３    室外側面部
３３ｂ  傾斜面
【図１】
0004854701.tif 000002
【図２】
0004854701.tif 000003
【図３】
0004854701.tif 000004
【図４】
0004854701.tif 000005